(57)【要約】【課題】日常生活の中での体の変調の兆しの指標となる環境情報、生体情報の変化を検知して、これに基づいてすぐにその場で対応可能なような健康アドバイスを出力することが可能な健康アドバイスシステムを提供する。【解決手段】第一環境滞在中の生体情報又は／及び環境情報である第一環境生体情報を取得する手段と、取得した第一環境生体情報を保持する手段と、第二環境滞在中の生体情報又は／及び環境情報である第二環境生体情報を取得する手段と、取得した第二環境生体情報を保持する手段と、保持されている第一環境生体情報と、保持されている第二環境生体情報とを比較する手段と、比較結果と所定のルールに基づきアドバイス情報を取得する手段と、取得したアドバイス情報を出力する手段を有する健康アドバイスシステム及び同プログラムを提供する。【選択図】図１
2013196041.tif 000002
【特許請求の範囲】
【請求項１】
第一環境滞在中の生体情報又は／及び環境情報である第一環境生体情報を取得する第一環境生体情報取得部と、
取得した第一環境生体情報を保持する第一環境生体情報保持部と、
第二環境滞在中の生体情報又は／及び環境情報である第二環境生体情報を取得する第二環境生体情報取得部と、
取得した第二環境生体情報を保持する第二環境生体情報保持部と、
保持されている第一環境生体情報と、保持されている第二環境生体情報とを比較する比較部と、
比較結果と所定のルールに基づき、アドバイス情報を取得するアドバイス情報取得部と、
取得したアドバイス情報を出力する出力部と、
を有する健康アドバイスシステム。
【請求項２】
第一環境生体情報取得部は、前記第一環境生体情報として、屋内滞在中の生体情報である屋内生体情報を取得する屋内生体情報取得手段を有し、
第二環境生体情報取得部は、前記第二環境生体情報として、屋外滞在中の生体情報である屋外生体情報を取得する屋外生体情報取得手段を有する、
請求項１に記載の健康アドバイスシステム。
【請求項３】
第一環境生体情報取得部は、前記第一環境生体情報として、利用者が自宅に滞在中の生体情報である自宅生体情報を取得する自宅生体情報取得手段を有し、
第二環境生体情報取得部は、前記第二環境生体情報として、利用者が自宅以外に滞在中の生体情報である自宅以外生体情報を取得する自宅以外生体情報取得手段を有する、
請求項１に記載の健康アドバイスシステム。
【請求項４】
第一環境生体情報取得部の自宅生体情報取得手段は、家庭用電気製品に備えられた生体情報取得のためのセンサーを含む請求項３に記載の健康アドバイスシステム。
【請求項５】
第二環境生体情報取得部の自宅以外生体情報取得手段は、携帯型電気製品に備えられた生体情報取得のためのセンサーを含む請求項３又は４に記載の健康アドバイスシステム。
【請求項６】
第一環境の位置を示す情報である第一環境位置情報を取得する第一環境位置情報取得部と、
第二環境の位置を示す情報である第二環境位置情報を取得する第二環境位置情報取得部と、
取得した第一環境位置情報と取得した第二環境位置情報とから利用者の移動情報を得る移動情報取得部と、を有し、
前記アドバイス情報取得部は、さらに取得した移動情報をも利用してアドバイス情報を取得する動的アドバイス情報取得手段を有する請求項１から５のいずれか一に記載の健康アドバイスシステム。
【請求項７】
コンピュータに、
第一環境滞在中の生体情報又は／及び環境情報である第一環境生体情報を取得する第一環境生体情報取得ステップと、
取得した第一環境生体情報を保持する第一環境生体情報保持ステップと、
第二環境滞在中の生体情報又は／及び環境情報である第二環境生体情報を取得する第二環境生体情報取得ステップと、
取得した第二環境生体情報を保持する第二環境生体情報保持ステップと、
保持されている第一環境生体情報と、保持されている第二環境生体情報とを比較する比較ステップと、
比較結果に応じて所定のルールに基づき、アドバイス情報を取得するアドバイス情報取得ステップと、
取得したアドバイス情報を出力する出力ステップと、
を実行させるためのプログラム。
【請求項８】
所定のルール又は／及びアドバイス情報を保持する管理サーバ装置と、
管理サーバ装置に保持されている所定のルール又は／及びアドバイス情報を取得する所定ルール・アドバイス情報取得部と、
取得した所定のルール又は／及びアドバイス情報によって所定のルールを更新する更新部と、
をさらに有する請求項１から６のいずれか一に記載の健康アドバイスシステム。
【発明の詳細な説明】
【技術分野】
【０００１】
本発明は、異なる環境における生体情報・環境情報を比較して健康に関するアドバイス情報を出力する健康アドバイスシステムに関する。
【背景技術】
【０００２】
近年、様々なセンサーを搭載したテレビや携帯電話が普及しつつある。そこで、これらのセンサーを利用して利用者が自宅や外出先で心拍数、血圧などの健康データを計測し、インターネットなどを介して当該健康データを病院のサーバに送信し、病院の医師がその健康データをチェックして何か異常があればすぐに対応措置をとるといったことが可能になっている。例えば、特許文献１には、少なくとも１つのテレビディスプレイ及びスピーカーに機能的に接続され、ネットワークに更に機能的に接続されているセットトップボックスと、当該セットトップボックスに無線で接続されており、個人の健康特性を測定し、同一の特性を上記セットトップボックスへ送信する１つ以上の無線センサーを有する健康管理システムが開示されている。当該文献に記載の発明においては、セットトップボックスは、例えば医療専門家がいる場所に設置される遠隔局にも接続され、さらに医療機器に接続されていてもよいとされている。この場合、センサーによって検知された健康特性データはセットトップボックスを経由して遠隔局に送信され、このデータに基づいて遠隔局の医療専門家がセットトップボックスを経由して医療機器を制御することができるようになっているので、例えば医療機器が人工呼吸システムである場合に、送信された健康特性データに応じて個人の酸素比率を制御することができることが記載されている（特許文献１参照）。
【先行技術文献】
【特許文献】
【０００３】
【特許文献１】特開２００９−３３９８５６号公報
【発明の概要】
【発明が解決しようとする課題】
【０００４】
ところで、健康管理が必要となる場合は、医療専門家による対応措置が必要となるような場合に限られるものではない。日常生活においてちょっとした環境の変化があっただけで体に変調の兆しが現れることがある（いわゆる「未病」の状態）。そのような場合に医療専門家による対応措置は必ずしも必要ではなく、むしろ本人がすぐにその場で対応できるようなアドバイスが求められているといえる。例えば、冬に暖かい自宅から寒い屋外に外出した瞬間に寒気を感じるような場合に、戸外の気温が自宅よりも一定温度以上低いことを検知して、もう少し厚着をして外出した方がよいといったアドバイスを行うことや、さらにその人がのどを痛めやすいという体質の持ち主である場合には、マスクやマフラーもして外出した方がよいといったアドバイスを行うことが考えられる。また、寒い戸外から帰宅した際に少し熱っぽい感じがする場合に、その人の体温が外出直後よりも一定温度以上上昇したことを検知して、今日は早く休んだ方が良いといったアドバイスを行うことが考えられる。こうしたアドバイスを可能にするためには、日常生活におけるちょっとした体の変調の兆しの指標となるデータを適時に取得し、これに基づいて即座に適切なアドバイスを取得することが重要である。
【０００５】
日常生活におけるちょっとした体の変調の兆しは、例えば気温の低下のような環境情報の変化や、体温の上昇のような生体情報の変化によって知ることができる。従って、上に述べたようなアドバイスを得るためには、このような環境情報や生体情報の変化を適時に検知することが重要である。しかし、特許文献１に記載の発明のような従来のシステムは、あくまで医療専門家の下にデータを送って専門的な対応措置をとれるようにするためのものであり、このような環境情報や生体情報の変化を検知してすぐにその場で対応可能なような健康アドバイスを行うことはできなかった。
【０００６】
そこで、本発明が解決すべき課題は、日常生活の中での体の変調の兆しの指標となる環境情報、生体情報の変化を検知して、これに基づいてすぐにその場で対応可能なような健康アドバイスを出力することが可能な健康アドバイスシステムを提供することにある。
【課題を解決するための手段】
【０００７】
以上の課題を解決するため、本発明のうち、第一の発明は、第一環境滞在中の生体情報又は／及び環境情報である第一環境生体情報を取得する第一環境生体情報取得部と、取得した第一環境生体情報を保持する第一環境生体情報保持部と、第二環境滞在中の生体情報又は／及び環境情報である第二環境生体情報を取得する第二環境生体情報取得部と、取得した第二環境生体情報を保持する第二環境生体情報保持部と、保持されている第一環境生体情報と、保持されている第二環境生体情報とを比較する比較部と、比較結果と所定のルールに基づき、アドバイス情報を取得するアドバイス情報取得部と、取得したアドバイス情報を出力する出力部とを有する健康アドバイスシステムを提供する。
また、第二の発明は、第一の発明を基礎として、第一環境生体情報取得部は、前記第一環境生体情報として、屋内滞在中の生体情報である屋内生体情報を取得する屋内生体情報取得手段を有し、第二環境生体情報取得部は、前記第二環境生体情報として、屋外滞在中の生体情報である屋外生体情報を取得する屋外生体情報取得手段を有する健康アドバイスシステムを提供する。
また、第三の発明は、第一の発明を基礎として、第一環境生体情報取得部は、前記第一環境生体情報として、利用者が自宅に滞在中の生体情報である自宅生体情報を取得する自宅生体情報取得手段を有し、第二環境生体情報取得部は、前記第二環境生体情報として、利用者が自宅以外に滞在中の生体情報である自宅以外生体情報を取得する自宅以外生体情報取得手段を有する健康アドバイスシステムを提供する。
また、第四の発明は、第三の発明を基礎として、第一環境生体情報取得部の自宅生体情報取得手段は、家庭用電気製品に備えられた生体情報取得のためのセンサーを含む健康アドバイスシステムを提供する。
また、第五の発明は、第三又は第四のいずれか一の発明を基礎として、第二環境生体情報取得部の自宅以外生体情報取得手段は、携帯型電気製品に備えられた生体情報取得のためのセンサーを含む健康アドバイスシステムを提供する。
また、第六の発明は、第一から第五のいずれか一の発明を基礎として、第一環境の位置を示す情報である第一環境位置情報を取得する第一環境位置情報取得部と、第二環境の位置を示す情報である第二環境位置情報を取得する第二環境位置情報取得部と、取得した第一環境位置情報と取得した第二環境位置情報とから利用者の移動情報を得る移動情報取得部とを有し、前記アドバイス情報取得部は、さらに取得した移動情報をも利用してアドバイス情報を取得する動的アドバイス情報取得手段を有する健康アドバイスシステムを提供する。
また、第七の発明は、コンピュータに、第一環境滞在中の生体情報又は／及び環境情報である第一環境生体情報を取得する第一環境生体情報取得ステップと、取得した第一環境生体情報を保持する第一環境生体情報保持ステップと、第二環境滞在中の生体情報又は／及び環境情報である第二環境生体情報を取得する第二環境生体情報取得ステップと、取得した第二環境生体情報を保持する第二環境生体情報保持ステップと、保持されている第一環境生体情報と、保持されている第二環境生体情報とを比較する比較ステップと、比較結果に応じて所定のルールに基づき、アドバイス情報を取得するアドバイス情報取得ステップと、取得したアドバイス情報を出力する出力ステップとを実行させるためのプログラムを提供する。
また、第八の発明は、第一から第六のいずれか一の発明を基礎として、所定のルール又は／及びアドバイス情報を保持する管理サーバ装置と、管理サーバ装置に保持されている所定のルール又は／及びアドバイス情報を取得する所定ルール・アドバイス情報取得部と、取得した所定のルール又は／及びアドバイス情報によって所定のルールを更新する更新部とをさらに有する健康アドバイスシステムを提供する。
【発明の効果】
【０００８】
本発明により、日常生活の中での体の変調の兆しの指標となる環境情報、生体情報の変化を検知して、これに基づいてすぐにその場で対応可能なような健康アドバイスを出力することが可能な健康アドバイスシステムを提供することが可能となる。
【図面の簡単な説明】
【０００９】
【図１】本発明の健康アドバイスシステムの概要を説明するための図
【図２】実施例１の健康アドバイスシステムの機能ブロックの一例を示す図
【図３】実施例１における所定のルールの一例を示す図
【図４】実施例１の健康アドバイスシステムのハードウェア構成の一例を示す概略図
【図５】実施例１の健康アドバイスシステムにおける処理の流れの一例を示す図
【図６】実施例２の健康アドバイスシステムの機能ブロックの一例を示す図
【図７】実施例３の健康アドバイスシステムの機能ブロックの一例を示す図
【符号の説明】
【００１０】
０１００、０２００    健康アドバイスシステム
０１１０、０２１０    第一環境生体情報取得部
０１２０、０２２０    第一環境生体情報保持部
０１３０、０２３０    第二環境生体情報取得部
０１４０、０２４０    第二環境生体情報保持部
０１５０、０２５０    比較部
０１６０、０２６０    アドバイス情報取得部
０２７０    出力部
【発明を実施するための形態】
【００１１】
以下に、本発明の実施例を説明する。実施例と特許請求の範囲の請求項の相互の関係については、実施例１は主に請求項１、２、３、４、５、７などに関し、実施例２は主に請求項６などに関し、実施例３は主に請求項８などに関する。なお、本発明はこれら実施例に何ら限定されるものではなく、その要旨を逸脱しない範囲において、種々なる態様で実施しうる。
【実施例１】
【００１２】
<概要>
本実施例の健康アドバイスシステムは、第一環境、第二環境という二つの異なる環境に滞在中の生体情報・環境情報をそれぞれ取得、保持し、これら両環境における生体情報・環境情報を比較し、その比較結果と所定のルールからアドバイス情報を取得して出力する機能を有するものである。
【００１３】
図１は、本発明の健康アドバイスシステムの概要を説明するための概念図である。本発明に係る健康アドバイスシステムの構成について説明する前に、はじめに本発明の概要について本図を用いて簡単に説明する。本図に示す健康アドバイスシステム０１００（以下、「本システム」と略すことがある）は、第一環境と第二環境という二つの異なる環境にシステムの利用者が時を異にして滞在中の生体情報・環境情報を取得、保持する手段として、第一環境生体情報取得部０１１０及び第一環境生体情報保持部０１２０、並びに第二環境生体情報取得部０１３０及び第二環境生体情報保持部０１４０を有している。第一環境は例えば屋内や自宅の環境であり、第二環境は例えば屋外や自宅以外（外出先）の環境である。また、生体情報は例えばその環境における利用者の体温であり、環境情報は例えばその環境における気温である。
本システムは、これら生体情報・環境情報を取得するためのセンサーを有している。このセンサーは、例えば第一環境（屋内や自宅）の情報であればテレビなどの家庭用電気製品に備えられ、第二環境（屋外や自宅以外）の情報であればスマートフォンなどの携帯型電気製品に備えられる。本図の例も第一環境用のセンサー（図示を省略）がテレビ０１０１に、第二環境用のセンサー（図示を省略）がスマートフォン０１０２に備えられる例を示す。
【００１４】
本図の例は、利用者が外出先から自宅に戻った直後にスマートフォンのＴＶリモコン機能を用いてテレビをＯＮにしたところを示している。このスマートフォンは利用者が外出中持ち歩いていたものである。そこで、（１）第二環境生体情報取得部は、外出中も随時当該スマートフォンのセンサーを用いて例えば利用者の体温データを取得し、（２）第二環境生体情報保持部は、当該データを保持する。一方、テレビをＯＮにしたことをトリガーにして、（３）第一環境生体情報取得部はテレビのセンサーを用いて利用者の現在の体温を検知し、（４）第一環境生体情報保持部が、当該データを保持する。
これにより、利用者の外出中（第二環境）における体温と、自宅（第一環境）に戻った際の体温という、異なる環境・異なる時刻における生体情報や環境情報を比較することが可能となり、さらにこの比較結果に基づいて健康に関するアドバイスを行うことが可能となる。
【００１５】
この比較を行うため、本システムは保持されている第一環境生体情報と第二環境生体情報を比較する比較部０１５０を有している。そして、（５）比較部が両情報を比較し、（６）アドバイス情報取得部０１６０が、この比較結果と所定のルール０１０３に基づいて健康に関するアドバイス情報を取得し、（７）これを例えばテレビの画面に出力する。所定のルールとは、例えばスマートフォンで検知した体温（第二環境における体温）よりもテレビで検知した体温（第一環境における体温）の方が０．５℃以上高ければ所定のアドバイスとして「熱が出てきたようです  今日は早めに休みましょう」というアドバイスを取得するといったものである。本図では、比較の結果０．５℃以上高いという結果が取得されたので、健康アドバイスシステムは、上のルールに従い、上記の所定のアドバイスを取得し、当該アドバイス０１０４をテレビ画面の一部の領域（一般にホーム画面と呼ばれる領域）に表示する例が示されている。
【００１６】
<構成>
図２は、本実施例の健康アドバイスシステムの機能ブロックの一例を示す図である。本件発明の構成要素である各部は、ハードウェア、ソフトウェア、ハードウェアとソフトウェアの両者、のいずれかによって構成される。たとえば、これらを実現する一例として、コンピュータを利用する場合には、ＣＰＵ、メモリ、バス、インターフェイス、周辺機器などから構成されるハードウェアと、これらのハードウェア上にて実行可能なソフトウェアを挙げることができる。具体的には、メモリ上に展開されたプログラムを順次実行することで、メモリ上のデータや、インターフェイスを介して入力されるデータの加工、蓄積、出力などにより各部の機能が実現される。
【００１７】
同図に示すように、本実施例の健康アドバイスシステム０２００は、第一環境生体情報取得部０２１０と、第一環境生体情報保持部０２２０と、第二環境生体情報取得部０２３０と、第二環境生体情報保持部０２４０と、比較部０２５０と、アドバイス情報取得部０２６０と、アドバイス情報出力部０２７０とを有する。
【００１８】
本システムは、第一環境と第二環境という異なる環境における生体情報を取得して所定の処理を行うものであるから、通例、それぞれの環境における生体情報を取得するためのセンサーを異なる機器に搭載することが想定される。第一環境と第二環境の典型的な具体例としては、第一環境が屋内で第二環境が屋外である場合、あるいは第一環境が自宅で第二環境が自宅以外（外出先）である場合が考えられる。そこで、この場合の第一環境における生体情報を検知するためのセンサーが備えられる機器としては、テレビなどの非携帯型の家庭用電気製品が考えられる。また、第二環境における生体情報を検知するためのセンサーが備えられる機器としては、スマートフォンなどの携帯型電気製品が考えられる。ただし、これはあくまで一例であって、上の例の第一環境と第二環境が逆であってもよいほか、例えば第一環境が自宅、第二環境が勤務先の会社といった場合のようにどちらも屋内であってもよく、この場合にはどちらのセンサーもテレビに備えるといったことも考えられる。さらに、利用者によっては在宅時・外出時を問わず常にスマートフォンを携帯しているといった場合も考えられ、このような場合には、例えば一台のスマートフォンに両者に共通のセンサーを備え、現在滞在中の環境がどちらであるかを判定する手段を利用して、当該センサーが検知した情報が第一環境・第二環境のいずれの情報であるかを判断するようにしてもよい。
【００１９】
次に各部の構成について順次説明する。
（第一環境生体情報取得部）
「第一環境生体情報取得部」は、第一環境滞在中の生体情報又は／及び環境情報である第一環境生体情報を取得するように構成されている。本発明において「環境」とは、生理に与える影響の原因を作りだしているものをいう。ここで「生理」とは、生体（生物体）が生きているために起こる様々な体の現象や、生きていくための体の機能をいう。「生体情報」とは、生理に関する情報をいう。また、「環境情報」とは、環境によって作り出されている影響を示す情報をいう。具体例で説明すると、例えば生理に与える影響の一つとして体温の変化が挙げられる。この場合、生理に与える影響の原因としては、気温の変化、湿度の変化、風の有無（ないし強弱）といったものが挙げられる。例えば一般に気温が上昇すれば、これを原因とする生理に与える影響として体温が上昇するといった具合である。そして、この生理に与える原因である気温の変化などを作り出しているものが環境であるから、この場合の環境の具体例としては、冷暖房設備の有無、加湿器の有無、壁の有無、屋根の有無といったものが挙げられることになる。
【００２０】
本発明における「第一環境」と「第二環境」とは互いに異なる環境をいう。「異なる環境」とは、上の環境の定義から明らかなように、生理に与える影響の原因として異なる原因を作りだしている環境どうしをいう。例えば、気温が異なる場合には環境が異なるということである。そして、その原因として気温が高い、気温が低いという異なる原因を作り出している異なる環境とは、例えば暖房設備のある環境と暖房設備のない環境とか、壁のある環境とか壁のない環境といったものとなる。そこで、異なる環境の代表的な例としては、屋内と屋外、あるいは自宅と外出先といったものとなる。
【００２１】
上の屋内と屋外、あるいは自宅と外出先といった例のように、異なる環境とは一般に地理的な位置が異なっているものである。従って、上の代表例以外に、屋内どうし、屋外どうしであっても、例えば温帯に属する場所と亜熱帯に属する場所では気温などの原因について異なるものを作り出すから、やはり異なる環境といえる。さらに、例外的ではあるが、同じ場所であっても時間の経過により異なる環境となる場合も考えられる。例えば、同じ室内にずっと居続ける場合であっても、朝のうちは涼しいが、昼間になるにつれて気温が上昇するといった場合が考えられる。これも生理に与える影響の原因として異なる気温という異なる原因を作り出すものであるから、上の定義にいう環境が異なる場合にあたり得る。
【００２２】
本発明は、この異なる環境が生理に与える影響の原因として異なる原因を作り出すことに着目して健康アドバイスを得られる仕組みを提供するものである。平たく言えば、環境が変わると体に変調をきたしやすいから、これをできるだけ回避すべく直ちに取得して実践できる健康アドバイスを行うものである。この場合、後述するように、異なる環境で検知された生体情報どうしを比較してアドバイスを取得する場合と、異なる環境で検知された環境情報どうしを比較してアドバイスを取得する場合の二つの場合を設けている。前者は、環境が変わったことで生体情報（例えば体温）が変化する蓋然性が高いことから、生体情報の変化を直接検知してアドバイスを行おうという発想に基づくものである。後者は、環境が変わったことで生体情報に影響を与える環境情報（例えば気温）が変化する蓋然性が高いことから、環境情報の変化を検知してアドバイスを行おうという発想に基づくものである。どちらも、生理に影響を与え得るような変化を検知してこれによる生理への影響を未然に回避するためのアドバイスを得ようとするものであるという点で共通する。
【００２３】
本発明の特徴は、健康アドバイスの取得のトリガーとして、生体情報又は／及び環境情報が異なる環境（第一環境、第二環境）における変化（差、乖離）を用いている点にあり、これが従来のシステムと異なる点である。従来のものは冒頭でも述べたように主に医療専門家による対応措置のために健康データを取得することに主眼が置かれている。従って、そこで取得される健康データは主に絶対値で計測されるもの（例えば体温が３７℃以上であるか）が想定されている。これに対し本発明は、あくまで変化（例えば体温が０．５℃以上上昇したか）を検知するものであるという違いがある。
【００２４】
例えば、第一環境が屋内や自宅である場合、冷暖房が快適に設定されているなど、利用者にとって相対的に優しい環境である蓋然性が高い。これに対して、これと異なる第二環境である屋外や自宅以外では、外気に晒されたりして利用者にとって相対的に厳しい環境である蓋然性が高い。そこで、利用者が屋内から屋外に出た途端に体に変調の兆しが現れるといったことが考えられるので、これに対するアドバイスが必要となる。同様に、第一環境と第二環境がともに屋内の場合であっても、例えば広い屋内（例えば勤務先のビルや野球場などの大型娯楽施設）の中で、自分の執務室やレストランのような相対的に優しい環境から、吹き抜けのホールやスタンドなどのような相対的に厳しい環境に移動した場合にも同じようなアドバイスが必要となる。
「生体情報」には、例えば、利用者の体温、発汗量、脈拍値、血圧値、声の調子、顔色、呼気データ（アルコール含有量など）などが含まれる。また、「環境情報」には、気温、湿度、気圧、花粉飛散量、電磁波強度、放射線量、紫外線量などが含まれる。
【００２５】
第一環境生体情報の取得は、健康アドバイスシステムが備えるセンサーを用いて行うことが可能であり、これらはいずれも公知技術を用いて行うことが可能である。例えば利用者の体温は、利用者が装着するイヤフォンなどに備えられた温度センサーで利用者の耳内の体温データを検知することで可能である。また、発汗量は、掌で握った電流式などの発汗計を用いて一定時間の発汗量データを検知することで取得可能である。脈拍値と血圧値は、例えば腕時計に備えた振動センサーを用いて検知可能である。声の調子は、例えばテレビに備えられたマイクロフォンで声量や周波数として検知することが可能である。顔色は、赤外線センサーを用いて顔の表面温度の温度分布として検知することが可能である。呼気データは、例えばアルコール検知が目的であれば、マイクロフォンなどに備えたアルコール検知器を用いることで可能である。同様に、環境情報についても、第一環境内に設置された温度センサー、湿度センサー、気圧センサー、電磁波計、放射線量計、紫外線量計などで検知可能である。これらのセンサーは、テレビなどの家庭用家電製品やスマートフォンなどの携帯用家電製品に備えられたものであってもよいし、利用者が装着するイヤフォン、マイクロフォン、腕時計などに備えられたものであってもよい。さらに、専用のセンサーを用いてもよい。
【００２６】
検知したデータは、例えば本システムを構成するテレビやスマートフォンなどに備えられたメモリに格納することで取得される。センサーがこれら本システムを構成する家電製品に備えられている場合には、検知したデータをＩ／Ｏを介して当該家電製品に備えられたメモリなどに記憶することなどで直ちに取得可能である。利用者が装着するイヤフォン、マイクロフォン、腕時計などに備えられたセンサーや専用のセンサーで検知した場合には、当該センサーで検知したデータを、メモリを備えた家電製品に送信することにより取得することが可能である。
【００２７】
また、利用者が絶えずスマートフォンを携帯している場合など、一台の電気製品に備えられた同一のセンサーを用いて第一環境生体情報と第二環境生体情報の双方を検知して取得するようにしてもよい。この場合、検知したデータが第一環境、第二環境のいずれのものであるのかを判断する必要がある。このためには、例えば、予め第一環境が屋内であり、第二環境が屋外である場合（本段落における以下の例でも同様とする）には、第一環境（例えば自宅）の地理的位置（緯度・経度）を登録するとともに、検知を行うセンサーを備えるスマートフォンなどにも記憶しておく。その上で、当該スマートフォンなどに搭載されたＧＰＳ（Ｇｌｏｂａｌ  Ｐｏｓｉｔｉｏｎｉｎｇ  Ｓｙｓｔｅｍ）機能を用いて現在地の地理的位置を取得し、取得した位置と登録された位置を比較して一致していれば第一環境、そうでなければ第二環境であると判断するようにすればよい。また、これ以外の方法として以下のような方法によってもよい。例えば、屋外の要所（歩道、店先、公園など）に位置情報を発信する発信機を設置しておき、利用者がそこを通りかかったときに携帯するスマートフォンなどのセンサーで当該位置情報を検知したときに、これを第二環境の情報と判断するといった方法が考えられる。あるいは、一般に屋外は屋内よりも騒音が大きいとか漂っている電波が多いといった経験則に基づいて、スマートフォンなどに備えられた騒音センサーや電磁波センサーを用いて騒音や電磁波のレベルを検知し、予め登録されている基準値に照らして、当該基準値未満であれば第一環境、基準値以上であれば第二環境と判断するといった方法が考えられる。さらに、Ｓｕｉｃａ（登録商標）などのＩＣカードの履歴で区別し、例えばデータを検知した時点からみて直近過去の履歴が自宅から離れた駅の出札であれば第二環境と判断するといった方法や、ナビゲーション機能を用いて自宅に向かう方向に移動中であるか遠ざかる方向に移動中であるかを判断するといったものが考えられる。
【００２８】
第一環境情報の検知、取得は例えば予め定められたタイミングで定期的に行えばよい。このタイミングは時刻で設定してもよいし、利用者が習慣的に行っている行動を利用したタイミングで行うように設定してもよい。例えば、利用者が毎朝７時にテレビをつけてニュースを見る習慣を有している場合には、テレビの電源がＯＮされた場合にテレビに備えられたセンサーなどを用いて目前の利用者の体温を検知、取得するといったことが考えられる。あるいは利用者による任意のタイミングでの操作入力などに基づいて第一環境生体情報を検知、取得するようにしてもよい。第一環境生体情報の取得に際しては、取得時刻も関連付けられることが望ましい。これは、後述の比較部が第一環境生体情報と第二環境生体情報を比較する際に、どちらを基準に見た比較を行えばよいかを知るためである（比較部の構成中で改めて説明する）。
【００２９】
（第一環境生体情報保持部）
「第一環境生体情報保持部」は、第一環境生体情報取得部が取得した第一環境生体情報を保持するように構成されている。この保持は、不揮発性メモリになされることが望ましい。こうすることで、例えば、外出直前にテレビのメモリにデータを記憶し、テレビの電源を切っていったん外出して帰宅した後、外出中のデータと、外出直前の上記データとを比較することなどが可能となる。
【００３０】
（第二環境生体情報取得部、第二環境生体情報保持部）
「第一環境生体情報取得部」は、第二環境滞在中の生体情報又は／及び環境情報である第二環境生体情報を取得するように構成されている。第一環境と第二環境の区別についての考え方は第一環境生体情報取得部の構成の中で述べたとおりである。また、「生体情報」、「環境情報」の具体例も第一環境生体情報取得部の説明中で述べたとおりである。第二環境が屋外や自宅以外の場合には、例えばスマートフォンなどの携帯型電気製品に備えられたセンサーを用いて当該情報を取得することができる。また、携帯型電気製品に備えられたセンサーを用いて外出中に生体情報、環境情報を取得した場合には、当該情報は、携帯型電気製品に備えられたメモリに記憶してもよいし、自宅のテレビなどの家庭用家電製品に送信して当該家電製品に備えられたメモリに記憶させるようにしてもよい。また、携帯型電気製品に備えられたメモリにいったん記憶しておき、帰宅後に家庭用家電製品に備えられたメモリにデータを移動して記憶させてもよい。
【００３１】
（比較部）
「比較部」は、第一環境生体情報保持部に保持されている第一環境生体情報と、第二環境生体情報保持部に保持されている第二環境生体情報とを比較するように構成されている。比較の対象となる第一環境生体情報と第二環境生体情報は、通例利用者が滞在する環境が変わったときに最初に取得された情報と以前の環境に滞在中に取得された情報（複数回取得されているときは通例最後に取得された情報）である。例えば、利用者が第一環境（自宅）を出た直後に第二環境（自宅外）における第二環境生体情報が取得されるように構成されており（このような構成は、例えば利用者が毎朝７時３０分に家を出る習慣があることに基づいて、７時３５分に利用者の携帯するスマートフォンで利用者の生体情報等を検知、取得するようにプログラムしておくことで可能である）、かつ第二環境から第一環境（自宅）に戻った際に、その利用者がテレビの電源をＯＮした場合に当該利用者の第一環境生体情報が取得されるように構成されている場合に、先に取得した第二環境生体情報に比べて後から取得した第一環境生体情報がどれだけ変化したかを比較する。このように比較は通例先に取得された情報に比べて後から取得された情報がどれだけ変化したかという形で行われる。このような比較を行うことにより、環境が変わったことで依然の環境に滞在していた時に比べて体の変調の兆しが現れていないかを知ることが可能になる。
【００３２】
この比較を可能にするため、既述のように第一環境生体情報及び第二環境生体情報の取得に際しては、取得時刻が関連付けられることが望ましい。これにより、比較部は、それぞれに関連付けられた時刻情報から第一環境生体情報及び第二環境生体情報の取得の前後関係がわかるので、先に取得した情報に対して後から取得した情報がどれだけ変化したかを比較することができる。例えば、利用者が２２時に帰宅してテレビの電源をＯＮした際に取得された第一環境生体情報が「体温３７．１℃」という内容を示す情報であり、その日の朝自宅を出た直後の７時３５分に取得された第二環境生体情報が「体温３６．５℃」という内容を示す情報である場合には、比較部は「＋０．６℃」という比較結果を取得する。比較結果は、次に述べるアドバイス情報取得部に渡され、アドバイス情報取得部がこの比較結果と所定のルールに基づいてアドバイス情報を取得することが可能となる。
【００３３】
（アドバイス情報取得部）
「アドバイス情報取得部」は、比較結果と所定のルールに基づき、アドバイス情報を取得するように構成されている。
図３は、本実施例における所定のルールの一例を示す図である。本図の例では、第一環境生体情報と第二環境生体情報の乖離の閾値０３０２は、第一環境生体情報の値が第二環境生体情報からどれだけ変化したかを示す値として示されている。そして当該閾値が生体情報、環境情報の種類０３０１ごとに定められるとともに、それぞれの閾値とアドバイス情報０３０３が関連付けられている。例えば、生体情報／環境情報の種類が体温０３０４である場合に、閾値０３０５として第一環境生体情報の示す体温（例えば帰宅時に検知した体温）が第二環境生体情報の示す体温（例えば外出した直後に検知した体温）よりも０．５℃以上上昇した値が定められ、体温の検知結果が当該閾値を示すものである場合には、当該閾値に関連付けられているアドバイス情報０３０６である「熱が出てきたようです  今日は早めに休みましょう」という情報が取得される。
なお、アドバイス情報は複数の比較結果に基づいて取得されるものであってもよい。図中顔色プラス体温０３０７、血圧値プラス気温０３０８に基づくものはこの例である。この場合において、複数の比較結果は、生体情報の比較結果どうし、あるいは環境情報の比較結果どうしを組み合わせたものであってもよいし（顔色プラス体温はこの例である）、生体情報の比較結果と環境情報の比較結果を組み合わせたものであってもよい（血圧値プラス気温はこの例である）。
【００３４】
（出力部）
「出力部」は、取得したアドバイス情報を出力するように構成されている。出力は例えばテレビやスマートフォンのディスプレイにテキスト、映像（動画、静止画いずれでもよい）、グラフィックなどで行ってもよいし、スピーカーやイヤフォンから音声で行ってもよい。また、ネットワーク上のサーバなどにあるテキスト、映像（動画、静止画いずれでもよい）、グラフィックなどの場所を指し示す、ＵＲＬ、ＵＲＬ情報が書き込まれたＱＲコード（登録商標）などで行ってもよい。前出の図１は、テレビのディスプレイのホーム画面に「熱が出てきたようです。今日は早めに休みましょう。」というアドバイス情報がテキストデータで出力されている例である。
【００３５】
出力の目的は利用者にアドバイス情報を伝えて対応措置を採ることを可能にすることにあるから、アドバイス情報を取得したら直ちに出力することが望ましい。そこで、例えば出力先がテレビのディスプレイである場合に、利用者のテレビ番組視聴をできるだけ妨げないように出力することが望ましい。上述のテレビのホーム画面に表示する例はその一例である。同様に、ウィジェット画面、ブラウザ画面、インフォメーション画面などと呼ばれるディスプレイの一部の領域に表示するものであってもよい。
あるいは、利用者のテレビ視聴を妨げないといった理由から利用者の入力操作を待ってアドバイス情報を表示するようにしてもよい。かかる構成は、例えば、リモコンやスマートフォンにアドバイス情報を表示するためのボタン、アイコン等を設けておき、利用者によってかかるボタン等が操作された場合にその入力を受け付けてアドバイス情報を表示するようにしておくことで実現可能である。
【００３６】
また、自動的に出力するか利用者の操作を待って出力するかをアドバイス情報の内容によって区別してもよい。例えば、アドバイス情報が血圧、放射線量等予め選択された一定の生体情報、環境情報に係るものである場合には、アラート情報として直ちに自動的に出力し、それ以外のものである場合には、通常のアドバイス情報として利用者の操作を待って出力するといったことが考えられる。また、それぞれの生体情報、環境情報の比較結果が一定の閾値以上である場合にアラート情報として直ちに自動的に出力するようにしてもよい。例えば、体温が１．０℃以上上昇した場合は直ちに自動的に出力し、０．５℃以上１．０℃未満上昇した場合には利用者の操作を待って出力するといったことが考えられる。
【００３７】
なお、生体情報や環境情報を検知するセンサーと、アドバイス情報を出力するディスプレイは同じ家電製品に備えられる必要はなく、例えば、テレビで検知した情報をスマートフォンに送信してスマートフォンのディスプレイに表示したり、逆にスマートフォンで検知した情報をテレビに送信してテレビのディスプレイに表示したりするものであってもよい。
また、本実施例に係る健康アドバイスシステムは、取得したアドバイス情報のうち、簡単なアドバイス情報をまず出力し、そのアドバイスを見た利用者がさらに詳細なアドバイスを得たいと考えた場合により詳細なアドバイスを出力するように構成されていてもよい。そのための具体的な構成としては、例えば、アドバイス情報を表示する画面の一部に詳細なアドバイス情報に遷移するためのアイコンを設けたり、テレビのリモコンやスマートフォンに詳細なアドバイス情報を表示するためのボタンを設けたりしておき、利用者による操作入力に基づいて当該詳細なアドバイス情報を表示するようにすればよい。かかる構成によれば、利用者に対してすぐに伝えたいアドバイスをまず簡潔に行い、必要があればさらに詳しいアドバイスを行うことが可能となる。
また、検知した生体情報や環境情報を本システム外の装置、例えば医療専門家のいる病院に設置された端末装置などに転送するようにしてもよい。既述のように、本システムの目的は、環境情報や生体情報の変化を検知してすぐにその場で対応可能なような健康アドバイスを行うことにあり、医療専門家の下にデータを送って専門的な対応措置をとれるようにすることを目的とするものではない。しかし、日常生活において医療専門家による即時の対応措置を要するような事態に突然いたるということも全く考えられないわけではない。そこで、かかる万一の場合に備えてこのような構成も付加しておくことも意味のあることであり、本発明の目的を阻害するものではない。
【００３８】
（ハードウェア構成）
次に、本実施例の健康アドバイスシステムのハードウェア構成について説明する。
図４は、本実施例の健康アドバイスシステムのハードウェア構成の一例を示す概略図である。本図に示すように、本実施例の健康アドバイスシステムの第一環境生体情報取得部と、第二環境生体情報取得部と、出力部は、記憶装置０４０１と、メインメモリ０４０２と、ＣＰＵ０４０３と、Ｉ／Ｏ０４０４から構成される。また、第一環境生体情報保持部と、第二環境生体情報保持部と、比較部は、記憶装置と、メインメモリと、ＣＰＵから構成される。また、本実施例の健康アドバイスシステムには、Ｉ／Ｏを介してディスプレイ０４０５、スピーカ（図示を省略）などの出力装置が接続されている。
【００３９】
これらはシステムバス０４０６などのデータ通信経路によって相互に接続され、情報の送受信や処理を行う。また、記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。本例では、第一環境生体情報取得プログラムと、第一環境生体情報保持プログラムと、第二環境生体情報取得プログラムと、第二環境生体情報保持プログラムと、比較プログラムと、アドバイス情報取得プログラムと、出力プログラムが記憶装置に記憶されており、これらのプログラムは例えば電源投入とともに自動的に記憶装置から読み出されてメインメモリに常駐する。
【００４０】
次に、各部のハードウェア構成について説明する。
まず、第一環境生体情報取得部及び第一環境生体情報保持部に係る構成について説明する。第一環境生体情報取得プログラムは、センサーによって検知した第一環境生体情報を取得する。センサーは、家庭用家電製品、携帯用家電製品などに備えられたセンサーを利用できる。第一環境が自宅であれば、センサーとしては、例えば、テレビに備えられたカメラ（例えば顔色を検知）、マイクロフォン（例えば声を検知）が考えられる。また、例えばスマートフォンなどの携帯用家電製品に搭載されたカメラ、マイクロフォン、振動センサーなども考えられる。あるいは、利用者が装着したイヤフォンやマイクロフォン（体温を検知）、腕時計（脈拍を検知）などで検知した第一環境生体情報をＩ／Ｏを介して取得する。第一環境生体情報の取得に際しては、好適には取得時刻も関連付けられる。取得時刻の取得は当該情報を取得した家電製品に備えられた時計機能を利用して行えばよい。取得した第一環境生体情報及びこれに関連付けられた取得時刻はメインメモリにいったん格納される。第一環境生体情報保持プログラムは、取得した第一環境生体情報を不揮発性の記憶装置に記憶する。この保持は、例えば、第一環境生体情報が自宅で取得された場合には、テレビなどの家庭用家電製品に備えられた記憶装置を用いて行われる。
第二環境生体情報取得部及び第二環境生体情報保持部の構成も上と同様である。この場合、取得した第二環境生体情報の保持は、例えば、第二環境生体情報が外出中にスマートフォンなどの携帯用家電製品のセンサーを利用して取得された場合には、当該携帯用家電製品に備えられた記憶装置を用いて行われる。あるいは、当該携帯用家電製品から自宅にある家庭用家電製品に取得した第二環境生体情報を送信し、当該家庭用家電製品に備えられた記憶装置を用いて保持するようにしてもよい。この送信のタイミングは、外出中に取得した際であってもよいし、帰宅後であってもよい。
【００４１】
次に、比較部に係る構成について説明する。比較プログラムは、記憶装置に保持されている第一環境生体情報及び第二環境生体情報をメインメモリに読み出し、両者を比較し、この結果である比較結果を取得する。比較結果は、一方が他方からどれだけ変化したかを示すものであり、通例後から取得した情報が前に取得した情報からどれだけ変化したかを示す値として取得される。このため、例えば第一環境生体情報、第二環境生体情報それぞれに関連付けられた取得時刻データを参照して前後関係を判断する。
【００４２】
次に、アドバイス情報取得部に係る構成について説明する。アドバイス情報取得プログラムは、比較結果及び所定のルールを読み出すとともに、これらに基づきアドバイス情報を取得する。具体的な処理の一例は、図３を用いて既に説明したとおりである。
【００４３】
次に、出力部に係る構成について説明する。出力プログラムは、取得したアドバイス情報を、例えばＩ／Ｏを介して接続されている家電製品のディスプレイにテキスト、映像、グラフィックなどで出力する。あるいは、これに代えて、またはこれに加えてＩ／Ｏを介して接続されている家電製品のスピーカーから音声で出力するようにしてもよい。この場合、アドバイス情報を取得したら直ちに自動的に出力するようにプログラムされていてもよいし、利用者の操作を待って出力するようにプログラムされていてもよい。後者の場合には、例えば、利用者によるリモコンなどに対する入力操作信号を本システムを構成する家電製品がＩ／Ｏを介して受け付けると、出力プログラムが取得済みのアドバイス情報を当該家電製品のディスプレイなどに出力する。
【００４４】
<処理の流れ>
図５は、本実施例の健康アドバイスシステムにおける処理の流れの一例を示す図である。同図に示すように、本実施例における処理の流れは、以下のステップを有する。
まず、第一環境生体情報取得ステップＳ０５０１において、健康アドバイスシステムは、第一環境生体情報を取得する。具体的な取得の一例として、例えば、テレビの電源がＯＮされた場合に目前の利用者の体温を検知、取得するようにプログラムされている場合であれば、図示を省略する以下のサブステップによって当該処理がなされる。即ちまず、テレビの電源がＯＮされたか否かの判断サブステップにおいて、健康アドバイスシステムは当該判断を行い、ＯＮされたとの判断結果が得られた場合には、検知サブステップにおいて、健康アドバイスシステムはテレビに備えられたセンサーを用いて第一環境生体情報を検知する。次に、第一環境生体情報の取得サブステップにおいて、健康アドバイスシステムは、検知した第一環境生体情報をメインメモリに格納する。
次に、第一環境生体情報保持ステップＳ０５０２において、健康アドバイスシステムは、取得した第一環境生体情報を不揮発性の記憶装置に保持する。
【００４５】
次に、第二環境生体情報取得ステップＳ０５０３において、健康アドバイスシステムは、第二環境生体情報を取得する。具体的な取得の一例は、第一環境生体情報の取得の場合とパラレルである。
次に、第二環境生体情報保持ステップＳ０５０４において、健康アドバイスシステムは、取得した第二環境生体情報を不揮発性の記憶装置に保持する。なお、以上のステップＳ０５０１及びステップＳ０５０２における処理と、ステップＳ０５０３及びＳ０５０４における処理順序の前後関係は問わない。また、ステップＳ０５０１及びステップＳ０５０２における処理は複数回繰り返してなされてもよく、ステップＳ０５０３及びＳ０５０４についても同様である。また、利用者が一日の間に何度も外出・帰宅を繰り返すような場合には、第一環境生体情報の取得・保持が行われ、その後第二環境生体情報の取得・保持が行われ、さらにその後第一環境生体情報の取得・保持が行われ、これを何度も繰り返すといった形で、第一環境生体情報に係る処理と第二環境生体情報に係る処理が交互に複数回なされるといったものであってもよい。
【００４６】
次に、比較ステップＳ０５０５において、健康アドバイスシステムは、ステップＳ０５０２において保持された第一環境生体情報と、ステップＳ０５０４において保持された第二環境生体情報とを比較し、比較結果を取得する。
次に、アドバイス情報取得ステップＳ０５０６において、健康アドバイスシステムは、ステップＳ０５０５における比較結果及び所定のルールを読み出し、これらに基づきアドバイス情報を取得する。
次に、出力ステップＳ０５０７において、健康アドバイスシステムは、取得したアドバイス情報をディスプレイなどに出力する。
【００４７】
<効果>
本実施例の健康アドバイスシステムにより、日常生活の中での体の変調の兆しの指標となる環境情報、生体情報の変化を検知して、これに基づいてすぐにその場で対応可能なような健康アドバイスを出力することが可能な健康アドバイスシステムを提供することが可能となる。
【実施例２】
【００４８】
<概要>
本実施例の健康アドバイスシステムは、基本的に実施例１のシステムと共通するが、第一環境の位置を示す情報と第二環境の位置を示す情報とから取得した利用者の移動情報も利用してアドバイス情報を取得するようにした点に特徴を有する。これは、第一環境内、第二環境内といった同一環境内を移動中の場合（例えば外出先からさらに自宅から遠ざかる方向に移動中の場合）にもアドバイスが必要となる場合に対応することを目的とするものである。
【００４９】
<構成>
図６は、本実施例の健康アドバイスシステムの機能ブロックの一例を示す図である。本実施例の健康アドバイスシステムは、実施例１の健康アドバイスシステムと基本的に共通する。ただし、本図に示すように、本実施例の健康アドバイスシステム０６００は、第一環境位置情報取得部０６８０と、第二環境位置情報取得部０６９０と、移動情報取得部０６９５とを有する。また、アドバイス情報取得部０６６０は、動的アドバイス情報取得手段０６６１を有する。以下、これら各部に係る構成について説明する。その余の構成は、実施例１の健康アドバイスシステムと同様であるから、説明を省略する。
【００５０】
（第一環境位置情報取得部、第二環境位置情報取得部）
第一環境位置情報取得部は、第一環境の位置を示す情報である第一環境位置情報を取得するように構成されている。第二環境位置情報取得部は、第二環境の位置を示す情報である第二環境位置情報を取得するように構成されている。このように第一環境、第二環境の位置情報を取得する意義は、同一環境内であっても、利用者が一方の環境から他方の環境に近づく方向に移動中の場合もあれば遠ざかる方向に移動中の場合もあるので、このような利用者の移動の態様に応じてよりふさわしい健康アドバイスを取得できるようにする点にある。例えば、第一環境が広いスペースを有する屋内（例えば会社の入っているビル）の場合には、同じ第一環境内を移動中であっても、例えば自分の執務室や食堂などにいる場合と、建物を出るために出口付近にいる場合とでは、温度などの環境が異なっており、体温などにも変化が生じ得る。そこで、本実施例における健康アドバイスシステムでは、同一の環境内であってもその具体的な位置情報を取得して、これに基づくアドバイスも行えるようにしている。
同一環境内における利用者の移動の具体的な態様としては、上述の例のほか、以下のようなものが想定される。例えば、利用者が外出先（第二環境内）を自宅（第一環境）に近づく形で移動中、もしくは遠のく形で移動中、又は相対的に変わらない形で移動中（停止中を含む）というケースが考えられる。また、利用者が広いスペースを有する屋内（例えば会社など）（第一環境）に滞在中の場合にも、同様に相対的に変わらない形で移動中（停止中を含む）（例えば自室で勤務中）というケースが考えられる。
このように本実施例における位置情報の取得は同一環境内における利用者の移動の態様を把握することができるように行われるものである。従って、第一環境位置情報取得部、第二環境位置情報取得部の少なくともどちらか一方は、第一環境位置情報もしくは第二環境位置情報を複数回にわたって取得するように構成される。
【００５１】
第一・第二環境位置情報の取得のための具体的構成の一例としては、利用者がスマートフォンなどの携帯用家電製品を携帯して第一環境内を移動中に、当該家電製品に備えられたＧＰＳ機能を用いて当該家電製品の緯度・経度情報を取得することが考えられる。あるいは、テレビなどの固定型の家庭用家電製品にその設置場所の地理的位置を示す情報を予め登録しておき、第一環境生体情報を取得した際に、その位置情報も関連付けて取得するようにすればよい。さらに、ＩＭＥＳ（Ｉｎｄｏｏｒ  ＭＥｓｓａｇｉｎｇ  Ｓｙｓｔｅｍ）などを利用して、位置情報に加え、建物の地図情報なども用いて第一環境・第二環境の位置情報を取得するようにしてもよい。
【００５２】
（アドバイス情報取得部：動的アドバイス情報取得手段）
動的アドバイス情報取得手段は、取得した移動情報をも利用してアドバイス情報を取得するように構成されている。取得するアドバイス情報の内容は実施例１で示したようなルールで定めておけばよい。例えば、利用者が第一環境（会社のビル内）にとどまっている場合でも、出口に向かって移動中の場合には、執務室で検知した体温に比べて出口付近で検知した体温が０．５℃以上上昇している場合が考えられるが、このような比較結果が取得された場合には、「熱が出てきたようです。今日は早めに休みましょう。」というアドバイス情報を取得することが考えられる。あるいは、第二環境（自宅外）で二回にわたって検知した利用者の体温の比較結果が０．５℃以上上昇しているという場合であっても、すぐに自宅に戻れば熱が下がる経験則があることに照らして、自宅から遠ざかる方向に移動中であれば上と同様のアドバイス情報を取得するが、自宅に近付く方向に移動中であればアドバイス情報を取得せずに放置するといった構成も考えられる。あるいは、同様の例において、自宅に近付く方向に移動中であればアドバイス情報を取得せずに放置し、自宅からの距離が変わらない形で移動中や同じ場所にとどまっている場合には、アドバイス情報を取得するが利用者の操作を待って出力し、自宅から遠ざかる方向に移動中であれば利用者の操作を待たずに出力するといった構成や、自宅からの距離が変わらない形で移動中の場合と自宅から遠ざかる方向に移動中の場合とで内容の異なるアドバイス情報を取得して出力するといった構成も考えられる。
【００５３】
（ハードウェア構成）
本実施例の健康アドバイスシステムのハードウェア構成は、実施例１の健康アドバイスシステムのハードウェア構成と基本的に同様である。ただし、本実施例の健康アドバイスシステムにおいては、環境位置情報取得プログラムが展開され、当該プログラムは、第一環境、第二環境における位置情報を取得する。具体的には、例えば利用者が携帯するスマートフォンや利用者の自宅に設置されたテレビに搭載されたＧＰＳ機能を用いて、当該位置情報を取得する。この位置は利用者が現在どの環境に滞在しているかを知るためのものであるから、取得のタイミングは、そこに利用者が滞在しているタイミングであることが望ましい。例えば、利用者が自宅でテレビの電源をＯＮにしたときや、スマートフォンであれば利用者がこれを携帯中であることを示す情報が得られた時（例えば加速度センサーによって移動中であることを示すデータが得られた時や、何らかの入力操作が行われた時）になされるようにすればよい。
また、アドバイス情報取得プログラムは、比較結果、所定のルールに加え、取得した移動情報も参照して、アドバイスを取得する。例えば、第一環境内を移動中であっても、比較結果と所定のルールからアドバイスを行うべきと判断されればアドバイス情報が取得される。その余の構成は、実施例１で説明した構成と同様であるから、説明を省略する。
【００５４】
<処理の流れ>
本実施例の健康アドバイスシステムにおける処理の流れは、基本的に図５を用いて説明した実施例１の健康アドバイスシステムにおける処理の流れと共通する。ただし、本実施例では、例えば第一環境生体情報取得ステップ（図５のステップＳ０５０１）に先立って第一環境位置情報取得ステップ及び第二環境位置情報取得ステップを有する。第一環境位置情報取得ステップにおいて、健康アドバイスシステムは、第一環境位置情報を取得する。また、第二環境位置情報取得ステップにおいて、健康アドバイスシステムは、第二環境位置情報を取得する。さらに、本実施例では、アドバイス情報取得ステップ（図５のステップＳ０５０６）は、動的アドバイス情報取得サブステップを有する。当該サブステップにおいて、健康アドバイスシステムは、第一環境位置情報取得ステップ及び第二環境位置情報取得ステップで取得した移動情報をも利用してアドバイス情報を取得する。その余の処理の流れは、実施例１における処理の流れと同様であるので、説明を省略する。
【００５５】
<効果>
本実施例の健康アドバイスシステムにより、利用者が同じ環境内にとどまっている場合であって、その移動状況に応じてきめの細かい健康アドバイスを出力することが可能な健康アドバイスシステムを提供することが可能となる。
【実施例３】
【００５６】
<概要>
本実施例の健康アドバイスシステムは、基本的に実施例１又は２のシステムと共通するが、所定のルールやアドバイス情報を保持する管理サーバ装置を有するとともに、管理サーバ装置に保持されている所定のルール等を取得する手段及び取得したルール等によって所定のルールを更新する手段をさらに有する点に特徴を有する。これは、健康アドバイスの判断基準や、アドバイスの表現のしかたなどは時間や環境の変化に大きく左右され、長く使っているとアドバイスが陳腐化することも考えられることから、これらを更新することでかかる陳腐化を防止することを目的とするものである。
【００５７】
<構成>
図７は、本実施例の健康アドバイスシステムの機能ブロックの一例を示す図である。本図に示すように、本実施例の健康アドバイスシステム０７００は、実施例１又は２の健康アドバイスシステムと同じ構成に加え、管理サーバ装置０７０１と、所定ルール・アドバイス情報取得部０７８０と、更新部０７９０とを有する。以下、管理サーバ装置、所定ルール・アドバイス情報取得部及び更新部の構成について説明する。その余の各部の構成は実施例１又は２のシステムの構成と同じであるから、説明を省略する。
【００５８】
（管理サーバ装置）
管理サーバ装置は、所定のルール又は／及びアドバイス情報を保持するように構成されている。管理サーバ装置を設ける目的は、所定のルール又は／及びアドバイス情報を保持させて、これに基づいて所定のルールを更新することで、アドバイスが陳腐化することを防ぐことにある。管理サーバ装置は、他の各部と一体的に構成されたものであってもよいし、所定ルール・アドバイス情報取得部とネットワークを介して接続されたものであってもよい。また、いずれの場合においても管理サーバ装置は複数設けられていてもよい。
【００５９】
管理サーバ装置が所定のルール又は／及びアドバイス情報を保持するためには、当該情報を外部から取得する必要がある。そのための具体的な構成としては、例えば、利用者による管理サーバ装置に対して当該情報を直接入力するための操作に基づいて取得することが考えられる。あるいは、管理サーバ装置が外部のサーバ装置にネットワークを介して接続されていてもよく、この場合には、当該外部サーバ装置の管理者等による最新の医学知識などに基づく情報の入力操作などに基づいて予め保持されている情報を、利用者による操作入力に基づいて管理サーバ装置にダウンロードしたり、あるいは、管理サーバ装置が定期的な日時に（例えば毎日０時）に自動的に外部サーバ装置からダウンロードしたりすることで当該情報を取得することが考えられる。
【００６０】
管理サーバ装置による所定のルール又は／及びアドバイス情報の取得のタイミングと更新部による更新のタイミングの関係については次のような構成が考えられる。例えば、管理サーバ装置が他の各部と一体的に構成されており、利用者による管理サーバ装置に対して当該情報を直接入力するための操作に基づいて管理サーバ装置が当該情報を取得する場合には、利用者による操作の都度当該情報が取得されることになるが、この場合には、通例、利用者は最新の医学知識等に基づく情報を入手した場合に、これに基づいて所定のルールを更新しようとの意図の下に管理サーバ装置に当該情報を保持させると考えられる。従って、管理サーバ装置が取得した当該情報を所定ルール・アドバイス情報取得部が直ちに取得し、これにより更新部が所定のルールを更新することが考えられる。即ち、この場合には、管理サーバ装置による所定のルール又は／及びアドバイス情報の取得は更新のタイミングで行われることが多く想定される。ただし、管理サーバ装置に所定のルール又は／及びアドバイス情報を予め取得、保持しておき、更新を行うタイミングでこれら保持された情報の中から更新に用いる情報を所定ルール・アドバイス情報取得部が取得するようにしてもよい。
【００６１】
また、管理サーバ装置が所定ルール・アドバイス情報取得部とネットワークを介して接続されており、管理サーバ装置の管理者等による管理サーバ装置に対して当該情報を直接入力するための操作に基づいて管理サーバ装置が当該情報を取得する場合には、通例、管理者等は最新の医学知識等に基づく情報を入手した場合にその都度当該情報を管理サーバ装置にアップロードして保持させておくものと考えられる。従って、更新の際には、予め管理サーバ装置に保持された情報の中から更新に必要な情報を所定ルール・アドバイス情報取得部がネットワークを介して取得し、これにより更新部が所定のルールを更新することが考えられる。即ち、この場合には、管理サーバ装置による所定のルール又は／及びアドバイス情報の取得は更新のタイミングに先立って行われる。
【００６２】
（所定ルール・アドバイス情報取得部、更新部）
所定ルール・アドバイス情報取得部は、管理サーバ装置に保持されている所定のルール又は／及びアドバイス情報を取得するように構成される。所定のルール又は／及びアドバイス情報の取得の目的は、これを所定ルールの更新に用いるためである。
【００６３】
また、更新部は、所定ルール・アドバイス情報取得部が取得した所定のルール又は／及びアドバイス情報によって所定のルールを更新するように構成されている。「更新」とは、所定のルールの全部または一部を書き換えることをいう。所定のルールの更新のしかたには二つのパターンが考えられる。一つは、取得した所定のルールに基づいて既存の所定のルールを更新するパターンである。例えば、既存の所定のルールが「脈拍値が２０回／ｍｉｎ以上増加した場合には『脈が上がっています  激しい運動はしばらく控えてください』というアドバイス情報を出力する」というものであった場合に、その後の医学の進歩によって脈拍値が１５回／ｍｉｎ以上増加した場合には激しい運動は控えた方が良いことが判明したことなどに基づいて「脈拍値が１５回／ｍｉｎ以上増加した場合には『脈が上がっています  激しい運動はしばらく控えてください』というアドバイス情報を出力する」という新たなルールが所定ルール・アドバイス情報取得部によって取得された場合、更新部はこの新たなルールに基づいて既存のルールである「脈拍値が２０回／ｍｉｎ以上増加した場合には『脈が上がっています  激しい運動はしばらく控えてください』というアドバイス情報を出力する」を「「脈拍値が２０回／ｍｉｎ以上増加した場合には『脈が上がっています  激しい運動はしばらく控えてください』というアドバイス情報を出力する」というものに更新するといった場合が考えられる（なお、上例の数値等はあくまで理解の容易のために適宜用いたものにすぎず、必ずしも実際の医学の知識に基づく正確なものではない。以下においても同様である）。もう一つのパターンは、取得したアドバイス情報に基づいて既存の所定のルールを更新するパターンである。例えば、既存の所定のルールが「血圧値が上下とも２０ｍｍＨｇ以上上昇した場合には『血圧が上がっています』というアドバイス情報を出力する」というものであった場合に、「血圧値が上下とも２０ｍｍＨｇ以上上昇した場合には激しい運動はしばらく控えた方がよい」という新たなアドバイス情報が所定ルール・アドバイス情報取得部によって取得された場合、更新部はこの新たなアドバイス情報に基づいて「血圧値が上下とも２０ｍｍＨｇ以上上昇した場合には『血圧が上がっています  激しい運動はしばらく控えてください』というアドバイス情報を出力する」というものに更新するといった場合が考えられる。
【００６４】
（ハードウェア構成）
本実施例の健康アドバイスシステムのハードウェア構成は、実施例１又は２の健康アドバイスシステムのハードウェア構成と基本的に同様である。ただし、本実施例の健康アドバイスシステムにおいては、管理サーバ装置が設けられ、当該管理サーバ装置は、記憶装置と、メインメモリと、ＣＰＵと、Ｉ／Ｏとから構成される。また、当該管理サーバ装置は例えばネットワークを介して所定ルール・アドバイス情報取得部と接続されている。管理サーバ装置は外部サーバ装置とネットワークを介して接続されていてもよい。また、本実施例では、所定ルール・アドバイス情報保持プログラムと、所定ルール・アドバイス情報取得プログラムと、更新プログラムが記憶装置に記憶されており、これらのプログラムは例えば電源投入とともに自動的に記憶装置から読み出されてメインメモリに常駐する。
【００６５】
所定ルール・アドバイス情報保持プログラムは、例えば管理サーバ装置に接続された端末装置に対して利用者がマウス、キーボード等を用いて行った入力操作を受け付けて、外部サーバ装置に保持されている所定ルール又は／及びアドバイス情報を管理サーバ装置にダウンロードするなどによってＩ／Ｏを介して取得する。取得された情報はメインメモリにいったん格納される。また、取得された情報はこれを不揮発性の記憶装置にも記憶するようにしてもよい。所定ルール・アドバイス情報取得プログラムは、例えば、所定ルール又は／及びアドバイス情報を管理サーバ装置が取得、保持した際には管理サーバ装置から当該情報を更新のために取得し、更新プログラムが当該情報を用いて既存の所定ルールを更新する。具体的には、所定ルール・アドバイス情報取得プログラムが保持されている所定ルール・アドバイス情報と所定のルールをメインメモリに読み出し、更新プログラムが当該所定ルール・アドバイス情報を用いて所定のルールを上書きするなどして更新する。所定のルールのどの部分を更新するかについては、例えば、更新プログラムが所定ルール・アドバイス情報に含まれる文字列と所定のルールに含まれる文字列を照合し、同じ文字列（例えば脈拍値、増加など）を含む所定のルール部分を更新するようにすればよい。
【００６６】
（処理の流れ）
本実施例の健康アドバイスシステムにおける処理の流れは、基本的に図５を用いて説明した実施例１の健康アドバイスシステムにおける処理の流れなどと共通する。ただし、本実施例では、これに加え、所定のルール・アドバイス情報を保持し、これに基づいて所定のルールを更新する処理を行うための各ステップを有する。これらのステップと他のステップとの処理順序は問わない。実際には、実施例１で述べた処理の流れに従ってアドバイス情報の出力が何度かなされた後、ある時に上記の所定のルールを更新する処理がなされ、その後に当該更新後の所定のルールを用いたアドバイス情報の出力が何度かなされ、その後同様のサイクルを繰り返すといったことが考えられる。ここで、更新のトリガーとなる「ある時」とは、例えば利用者によって外部サーバ装置から所定のルール・アドバイス情報を取得するための操作入寮がなされた時である。
【００６７】
以下、所定のルールを更新するための処理の流れの一例について説明する。ここでは、外部サーバ装置に予め所定のルール・アドバイス情報が保持されており、所定のルールを更新しようと考えた利用者によって当該外部サーバ装置から所定のルール・アドバイス情報の取得のための入力操作がなされたことをトリガーとしてかかる処理が行われる例で説明する。まず、利用者による上記入力操作を受け付けたか否かの判断ステップＳ１において、かかる入力操作を受け付けたと判断された場合、所定のルール・アドバイス情報保持ステップＳ２において、健康アドバイスシステムは、外部サーバ装置にアクセスして所定のルール・アドバイス情報をダウンロードするなどして取得し、管理サーバ装置に保持する。次に、所定のルール・アドバイス情報取得ステップＳ３において、健康アドバイスシステムは、管理サーバ装置に保持されている所定のルール・アドバイス情報を取得する（本例では管理サーバ装置に保持されると同時にそこから取得されることになるが、当該情報が予め管理サーバ装置に保持されている場合であればその中から改めて取得されることになる）。次に、更新ステップＳ４において、健康アドバイスシステムは、取得した所定のルール又は／及びアドバイス情報によって所定のルールを更新する。
【００６８】
<効果>
本実施例の健康アドバイスシステムにより、アドバイスが陳腐化することを防ぐことができる。
【図１】
2013196041.tif 000003
【図２】
2013196041.tif 000004
【図３】
2013196041.tif 000005
【図４】
2013196041.tif 000006
【図５】
2013196041.tif 000007
【図６】
2013196041.tif 000008
【図７】
2013196041.tif 000009